(57)【要約】【課題】換気必要時に連動して給気をえることで、効率よく排気する換気装置を提供することを目的とする。【解決手段】排気用の第１の換気装置に運転、停止の信号５を発信する発信部６を設け、第１の換気装置から離れた位置に設置された第２の換気装置に発信信号を受信する受信部７を設け、第２の換気装置は、第１の換気装置からの運転の発信信号を受信すると室内と室外の圧力差を減少させるように作動する構成としたことで、配線工事の手間や費用を軽減した設置工事で、換気必要時に排気に連動して給気を得て効率的に排気することができる換気装置が得られる。【選択図】図１
2010145065.tif 000002
【特許請求の範囲】
【請求項１】
排気用の第１の換気装置に運転あるいは停止の信号を発信する発信部を設け、前記第１の換気装置から離れた位置に設置された第２の換気装置に前記第１の換気装置からの発信信号を受信する受信部を設け、前記第２の換気装置は、前記第１の換気装置からの運転の発信信号を受信すると室内と室外の圧力差を減少させるように作動する構成としたことを特徴とする換気装置。
【請求項２】
第１の換気装置が排気用換気扇で、第２の換気装置が給気シャッターであり、前記排気用換気扇が運転されると前記給気シャッターが開き、前記排気用換気扇が停止されると前記給気シャッターが閉じる構成とした請求項１記載の換気装置。
【請求項３】
第１の換気装置が排気用換気扇で、第２の換気装置が給気用換気扇であり、前記排気用換気扇が運転されると前記給気用換気扇が運転され、前記排気用換気扇が停止されると前記給気用換気扇が停止される請求項１記載の換気装置。
【請求項４】
排気用換気扇をレンジフードとした請求項２または３記載の換気装置。
【請求項５】
排気用換気扇が高速運転されると、給気用換気扇に設けられたシャッターを開いて前記給気用換気扇が運転され、前記排気用換気扇が低速運転されると、前記シャッターは開いたまま前記給気用換気扇が停止される請求項３または４記載の換気装置。
【請求項６】
排気用換気扇の運転モードにより給気用換気扇の運転モードが切り替わる請求項３または４記載の換気装置。
【請求項７】
第１の換気装置と第２の換気装置がともに排気用換気扇であり、第２の換気装置である第２の排気用換気扇が運転されている時に第１の換気装置である第１の排気用換気扇が運転されると、前記第２の排気用換気扇が停止し、前記第１の排気用換気扇が停止されると、前記第２の排気用換気扇が運転を再開する請求項１記載の換気装置。
【請求項８】
第１の排気用換気扇が厨房に設置されたレンジフードで、第２の排気用換気扇が前記厨房に連通する室に設けられた換気扇である請求項７記載の換気装置。
【請求項９】
第２の排気用換気扇が運転されている時に第１の排気用換気扇が運転されると、前記第２の排気用換気扇は停止状態でシャッターを開き、前記第１の排気用換気扇が停止されると、前記第２の排気用換気扇は元の運転状態に戻る請求項７または８記載の換気装置。
【請求項１０】
第１の換気装置は停止より遅延させて停止の信号を発信する請求項１〜９のいずれかに記載の換気装置。
【請求項１１】
信号は赤外線信号である請求項１〜１０のいずれかに記載の換気装置。
【請求項１２】
信号は電波信号である請求項１〜１０のいずれかに記載の換気装置。
【発明の詳細な説明】
【技術分野】
【０００１】
本発明は、換気必要時にコードレスにて操作し運転する換気装置に関する。
【背景技術】
【０００２】
従来、この種の換気装置として、ガス機器のガスバーナーの点火操作に応じて、換気扇を運転させる信号をガス機器から発信する換気装置が知られている（例えば、特許文献１参照）。
【０００３】
以下、その換気装置について図４を参照しながら説明する。
【０００４】
図に示すように、ガスコンロ等の器具本体１０１の適所に、赤外線発光素子等からなるコードレスリモコン１０２用の発光素子１０３を装着すると共に、器具本体１０１の調理開始及び調理停止操作を検出する検出スイッチ１０４を設け、かつこの検出スイッチ１０４の操作に応じて、発光素子１０３から、器具本体１０１の周囲に設置されたコードレスリモコン１０２と同じ信号で換気扇１０５を回転開始及び回転停させる信号を発信する換気扇連動手段を設けている。
【特許文献１】特開平５−３２２１７２号公報（第２、３欄、第１図）
【発明の開示】
【発明が解決しようとする課題】
【０００５】
このような従来の換気装置では、ガスコンロ等の使用に連動して自動的に運転されるので、局所換気にて使用された場合、近年の家全体の常時換気とは連動しておらず、住宅の機密性も上昇していることから、十分な給気が得られないまま運転され、換気効率を悪化させる課題がある。
【０００６】
本発明は、このような課題を解決するものであり、換気必要時に連動して給気を得ることで効率的に排気する換気装置を提供することを目的としている。
【課題を解決するための手段】
【０００７】
本発明の換気装置は上記目的を達成するために、排気用の第１の換気装置に運転あるいは停止の信号を発信する発信部を設け、前記第１の換気装置から離れた位置に設置された第２の換気装置に前記第１の換気装置からの発信信号を受信する受信部を設け、前記第２の換気装置は、前記第１の換気装置からの運転の発信信号を受信すると室内と室外の圧力差を減少させるように作動する構成としたものである。
【０００８】
また、他の手段は、第１の換気装置が排気用換気扇で、第２の換気装置が給気シャッターであり、前記排気用換気扇が運転されると前記給気シャッターが開き、前記排気用換気扇が停止されると前記給気シャッターが閉じる構成としたものである。
【０００９】
また、他の手段は、第１の換気装置が排気用換気扇で、第２の換気装置が給気用換気扇であり、前記排気用換気扇が運転されると前記給気用換気扇が運転され、前記排気用換気扇が停止されると前記給気用換気扇が停止される構成としたものである。
【００１０】
また、他の手段は、排気用換気扇をレンジフードとしたものである。
【００１１】
また、他の手段は、第１の換気装置が排気用換気扇で、第２の換気装置が給気用換気扇であり、前記排気用換気扇が高速運転されると、前記給気用換気扇に設けられたシャッターを開いて前記給気用換気扇が運転され、前記排気用換気扇が低速運転されると、前記シャッターは開いたまま前記給気用換気扇が停止される構成としたものである。
【００１２】
また、他の手段は、第１の換気装置が排気用換気扇で、第２の換気装置が給気用換気扇であり、前記排気用換気扇の運転モードにより、前記給気用換気扇の運転モードが切り替わる構成としたものである。
【００１３】
また、他の手段は、第１の換気装置と第２の換気装置がともに排気用換気扇であり、第２の換気装置である第２の排気用換気扇が運転されている時に第１の換気装置である第１の排気用換気扇が運転されると、前記第２の排気用換気扇が停止し、前記第１の排気用換気扇が停止されると、前記第２の排気用換気扇が運転を再開する構成としたものである。
【００１４】
また、他の手段は、第１の排気用換気扇が厨房に設置されたレンジフードで、第２の排気用換気扇が前記厨房に連通する室に設けられた換気扇としたものである。
【００１５】
また、他の手段は、第２の排気用換気扇が運転されている時に第１の排気用換気扇が運転されると、前記第２の排気用換気扇は停止状態でシャッターを開き、前記第１の排気用換気扇が停止されると、前記第２の排気用換気扇は元の運転状態に戻る構成としたものである。
【００１６】
また、他の手段は、第１の換気装置は停止より遅延させて停止の信号を発信する構成としたものである。
【００１７】
また、他の手段は、信号を赤外線信号としたものである。
【００１８】
また、他の手段は、信号を電波信号としたものである。
【発明の効果】
【００１９】
本発明によれば、配線工事なしで第１の換気装置が発信する信号を受けて、第２の換気装置を室内と室外の圧力差が減少するように作動させることができ、配線工事の手間や費用を軽減した設置工事で、換気必要時に排気に連動して給気を得て効率的に排気できる換気装置を提供できる。
【００２０】
そして、以下の効果が、同様に配線工事の手間や費用を軽減した設置工事で、得られる。
【００２１】
第１の換気装置としての排気用換気扇が運転される間に、第２の換気装置としての給気シャッターから給気を得ることで、効率的に排気することができる。
【００２２】
また、排気用換気扇が運転される間に、第２の換気装置としての給気用換気扇から給気を得ることで、効率的に排気することができる。
【００２３】
また、排気用換気扇として台所に設置された局所換気用のレンジフードが運転された際に、給気用換気扇から給気を得ることで、調理にて発生する油煙を効率的に排気することができる。
【００２４】
また、排気用換気扇が高速運転されると、給気用換気扇に設けられたシャッターを開いて給気用換気扇が運転され、排気用換気扇が低速運転されると、シャッターは開いたまま給気用換気扇が停止されることで、給気用換気扇から排気風量に応じた給気を得ることができ、効率的に排気することができるとともに、給気用換気扇の消費電力を抑えることができる。
【００２５】
また、排気用換気扇の運転モードにより給気用換気扇の運転モードが切り替わることで、排気用換気扇が運転される間に、給気用換気扇から排気風量に応じた給気を得ることができ、より効率的に排気することができる。
【００２６】
また、第１の換気装置と第２の換気装置がともに排気用換気扇で、第２の排気用換気扇が運転されている時に第１の排気用換気扇が運転されると、第２の排気用換気扇を停止することで、室内外の差圧の上昇を抑え、効率的に排気することができる。
【００２７】
また、上記第１の排気用換気扇がレンジフードで、第２の排気用換気扇が厨房に連通する室に設けられた換気扇であることで、室内外の差圧の上昇を抑え、第２の排気用換気扇を設けた室への空気の流れを抑え、調理により発生する油煙を効率的に局所排気することができる。
【００２８】
また、第１の排気用換気扇が運転される間に第２の排気用換気扇のシャッターを停止状態で開くことで、給気を得て室内外の差圧を小さくし、効率的に排気することができる。
【００２９】
また、第１の換気装置より第２の換気装置の作動を遅らせることで、排気停止後も給気を得ることができて室内外の差圧を小さくし、効率的に排気することができる。
【００３０】
また、第１の換気装置から第２の換気装置に発信する信号を赤外線信号とすることで、安価に換気装置を連動させることができる。
【００３１】
また、信号を電波信号とすることで、換気装置の間に障害物があって赤外線信号では届かない場合でも、換気装置を連動させることができる。
【発明を実施するための最良の形態】
【００３２】
本発明の請求項１記載の換気装置は、第１の換気装置から離れた位置に設置された第２の換気装置に前記第１の換気装置からの発信信号を受信する受信部を設け、前記第２の換気装置は、前記第１の換気装置からの運転の発信信号を受信すると室内と室外の圧力差を減少させるように作動する構成としたものであり、配線工事なしで第１の換気装置が発信する信号を受けて、第２の換気装置を作動させる作用を有する。
【００３３】
また、請求項２記載の換気装置は、第１の換気装置が排気用換気扇で、第２の換気装置が給気シャッターであり、前記排気用換気扇が運転されると前記給気シャッターが開き、前記排気用換気扇が停止されると前記給気シャッターが閉じる構成としたものであり、排気用換気扇が運転される間に、給気シャッターから給気を得ることで、排気で生じる室内外の差圧を小さくする。
【００３４】
また、請求項３記載の換気装置は、第１の換気装置が排気用換気扇で、第２の換気装置が給気用換気扇であり、前記排気用換気扇が運転されると前記給気用換気扇が運転され、前記排気用換気扇が停止されると前記給気用換気扇が停止されるものであり、排気用換気扇が運転される間に、給気用換気扇から給気を得ることで、排気で生じる室内外の差圧を小さくする。
【００３５】
また、請求項４記載の換気装置は、排気用換気扇をレンジフードとしたものであり、台所に設置された局所換気用のレンジフードが運転された際に、第２の換気装置から給気を得ることで、排気で生じる室内外の差圧を小さくする。
【００３６】
また、請求項５記載の換気装置は、第１の換気装置が排気用換気扇で、第２の換気装置が給気用換気扇であり、前記排気用換気扇が高速運転されると、前記給気用換気扇に設けられたシャッターを開いて前記給気用換気扇が運転され、前記排気用換気扇が低速運転されると、前記シャッターは開いたまま前記給気用換気扇が停止されるものであり、給気用換気扇から排気風量に応じた給気を得ることができ、室内外の差圧を小さくする。
【００３７】
また、請求項６記載の換気装置は、第１の換気装置が排気用換気扇で、第２の換気装置が給気用換気扇であり、前記排気用換気扇の運転モードにより、前記給気用換気扇の運転モードが切り替わるものであり、排気用換気扇が運転される間に、給気用換気扇から排気風量に応じた給気を得ることで、室内外の差圧を小さくする。
【００３８】
また、請求項７記載の換気装置は、第１の換気装置と第２の換気装置がともに排気用換気扇であり、第２の換気装置である第２の排気用換気扇が運転されている時に第１の換気装置である第１の排気用換気扇が運転されると、前記第２の排気用換気扇が停止し、前記第１の排気用換気扇が停止されると、前記第２の排気用換気扇が運転を再開するものであり、第１の排気用換気扇が運転されると、運転されている第２の排気用換気扇を停止することで、室内外の差圧の上昇を抑える。
【００３９】
また、請求項８記載の換気装置は、請求項７記載の換気装置において、第１の排気用換気扇が厨房に設置されたレンジフードで、第２の排気用換気扇が前記厨房に連通する室に設けられた換気扇としたものであり、レンジフードが運転されると、運転されている第２の排気用換気扇を停止することで、室内外の差圧の上昇を抑え、第２の排気用換気扇への空気の流れを抑える。
【００４０】
また、請求項９記載の換気装置は、第２の排気用換気扇が運転されている時に第１の排気用換気扇が運転されると、前記第２の排気用換気扇は停止状態でシャッターを開き、前記第１の排気用換気扇が停止されると、前記第２の排気用換気扇は元の運転状態に戻るものであり、第１の排気用換気扇が運転される間に、第２の排気用換気扇のシャッターを停止状態で開くことで、給気を得て室内外の差圧を小さくする。
【００４１】
また、請求項１０記載の換気装置は、第１の換気装置は停止より遅延させて停止の信号を発信するものであり、第１の換気装置の停止より第２の換気装置の停止の作動を遅らせることで、排気停止後も給気を得ることができ室内外の差圧を小さくする。
【００４２】
また、請求項１１記載の換気装置は、信号を赤外線信号としたものであり、安価に配線工事なしで、第１の換気装置の発信部から発信する赤外線信号を、第２の換気装置の受信部で受けることで、第２の換気装置を作動させることができることとなる。
【００４３】
また、請求項１２記載の換気装置は、信号を電波信号とした換気装置であってものであり、換気装置の間に障害物があって赤外線信号では届かない場合でも、配線工事なしで、第１の換気装置の発信部から発信する赤外線信号を、第２の換気装置の受信部で受けることで第２の換気装置を作動させることができることとなる。
【００４４】
以下、本発明の実施の形態について図１〜図３を参照しながら説明する。
【００４５】
（実施の形態１）
図１に示すように、厨房１に、第１の換気装置である第１の排気用換気扇としてのレンジフード２を設置し、レンジフード２から離れた位置の外壁３に、第２の換気装置である給気シャッター４を設置している。レンジフード２には運転あるいは停止の信号５を発信する赤外線方式の発信部６を設け、給気シャッター４にはレンジフード２の発信部６からの信号５を受信する受信部７を設け、レンジフード２が運転されると発信部６から運転の信号５が発信され、この信号５を給気シャッター４の受信部７が受信して給気シャッター４が開き、レンジフード２の運転が停止されると停止の信号５が発信されて、給気シャッター４が閉じる構成としている。
【００４６】
そして、レンジフード２の運転の停止操作と停止の信号５の発信とは同時ではなく、停止操作に対し停止の信号５の発信を所定の時間遅延させている。
【００４７】
上記構成により、レンジフード２が運転されて厨房１の空気を排気すると、それに連動して給気シャッター４が開いて室外の空気が厨房１内に給気され、室内と室外の差圧が減少して効率的な排気ができる、すなわち、換気効率が向上することとなる。
【００４８】
また、レンジフード２の運転の停止操作をすると、停止の信号５は所定の時間遅延して発信され、給気シャッター４が閉じる。したがって、停止操作後、少しの間慣性力で回転していたレンジフード２の排気に応じた給気が得られ、それまで減少していた差圧を維持できる。
【００４９】
そして、このような換気効率の向上が、赤外線方式の信号５を送受信する比較的安価な部材で配線工事なしに構成することにより、設置費用を少なくして達成できる。
【００５０】
また、信号５を、赤外線信号に代えて電波信号とすることにより、赤外線信号では、発信部６と受信部７との間に送信の障害となる物があって、受信部７に届かない場合であっても、電波信号は受信部７に到達することができ、レンジフード２と給気シャッター４の作動の連動を確実に実施できることとなる。
【００５１】
なお、本実施の形態１において、第１の換気装置を設置する室を厨房１としたが、喫煙する部屋等、排気量を大きくする必要がある室に排気用換気扇を設けても、同様の作用効果を奏する。
【００５２】
（実施の形態２）
本発明の実施の形態２の換気装置は、上記の実施の形態１の換気装置に対し、第２の換気装置として給気用換気扇８を設置している。
【００５３】
給気用換気扇８は、回転速度が高速、低速に切り替え可能な仕様であるとともに、停止時に室内に外風が吹き込むのを防止するシャッター９を備えている。
【００５４】
一方、レンジフード２は回転速度が高速、中速、低速に切り替え可能な仕様となっており、レンジフード２が高速運転されると、それに連動して給気用換気扇８がシャッター９を開いて高速運転され、レンジフード２が中速運転されるとシャッター９を開いて給気用換気扇８が低速運転され、レンジフード２が低速運転されると、給気用換気扇８はシャッター９を開いたまま停止し、レンジフード２が停止されると給気用換気扇８はシャッター９を閉じる。
【００５５】
上記構成により、レンジフード２の発信部６から給気用換気扇８の受信部７への信号５の送受信によって、レンジフード２の高速運転時に厨房１と室外の差圧が大きくなるのを給気用換気扇８の高速運転により減少させて効率のよい排気が行われ、レンジフード２が中速運転に切り替えられると、それに対応した小風量の給気を得るために給気用換気扇８が低速運転され、レンジフード２が低速運転に切り替えられると、それに対応したさらに小風量の給気を得るために、給気用換気扇８が停止されシャッター９は開いたままとなり、レンジフード２が中速あるいは低速で運転されても、厨房１と室外の差圧を適切に維持する。そして、レンジフード２が停止されると、シャッター９が所定の遅延時間の後閉じる。
【００５６】
（実施の形態３）
本発明の実施の形態３の換気装置は、上記実施の形態２の換気装置に対し、レンジフード２の回転速度を高速、中速、低速に切り替え可能とするとともに、給気用換気扇８も回転速度が高速、中速、低速に切り替え可能で、レンジフード２の回転速度の切り替えに応じて、すなわち、排気風量の大小に応じて、給気用換気扇８の回転速度を切り替える、すなわち、給気風量を増減する連動を行うことを特徴とする。
【００５７】
上記構成により、レンジフード２と給気用換気扇８とを、いずれの回転速度でも適切な室内外の差圧に維持するように連動させて、安定して効率的な排気ができる。
【００５８】
（実施の形態４）
本発明の実施の形態４の換気装置は、図３に示すように、第１の排気用換気扇としてのレンジフード２と同じく第２の換気装置も排気用換気扇とし、第２の排気用換気扇１０を厨房１に連通した居間１１に設置している。第２の排気用換気扇１０は、停止時の外風侵入防止用のシャッター１２を備えている。
【００５９】
そして、第２の排気用換気扇１０は、運転されている時にレンジフード２が運転されると、シャッター１２を開いたまま停止して、第２の排気用換気扇１０の停止による室内外の差圧上昇抑止と、シャッター１２を開放して得られる給気による差圧減少とにより、居間１１と連通している厨房１の室外との差圧が大きくならないようにし、レンジフード２が効率的に排気できるようにする。そして、レンジフード２が停止されると、居間１１における排気を再開する。
【００６０】
なお、本実施の形態４では、第１の排気用換気扇を厨房１に設置するレンジフード２としたが、第１の排気用換気扇を設置する室は厨房１に限られるものではなく、第１と第２の排気用換気扇が連通する室に設置されておれば、同様の作用効果を奏する。
【産業上の利用可能性】
【００６１】
本発明に係る換気装置は、２台の換気装置を、配線工事の手間や費用を軽減した配線工事で、連動させて効率的な排気ができ、大きな排気風量を必要とする室や連通した２室に設置する換気装置に広く適用できる。
【図面の簡単な説明】
【００６２】
【図１】本発明の実施の形態１の換気装置の設置構成図
【図２】本発明の実施の形態２および３の換気装置の設置構成図
【図３】本発明の実施の形態４の換気装置の設置構成図
【図４】従来の換気装置の設置構成図
【符号の説明】
【００６３】
２    レンジフード
４    給気シャッター
５    信号
６    発信部
７    受信部
８    給気用換気扇
９    シャッター
１０  第２の排気用換気扇
１１  居間
１２  シャッター
【図１】
2010145065.tif 000003
【図２】
2010145065.tif 000004
【図３】
2010145065.tif 000005
【図４】
2010145065.tif 000006